(57)【要約】【課題】自立式で設置に自由度があり、耐震強度も確保され、閉塞感を感じないよう室内を緩やかに仕切ることができる間仕切装置を提供する。【解決手段】第一壁パネル１と、この第一壁パネル１に対し略直角に連結固定される第二壁パネル２と、を備え、第一壁パネル１は床３から天井４にまで至って両者間で突っ張り状に固定されるものであり、第二壁パネル２は天井４との間に間隔５を開けて床３上に設置され室内６を仕切るものである。この場合、第一壁パネル１を室内６の一壁面７に沿って立設し、また、第二壁パネル２の第一壁パネル１側とは反対側の先端部８とこの先端部８に対向する室内６の他壁面９との間に通路スペース１０を設けている。【選択図】図１
2007162420.tif 000002
【特許請求の範囲】
【請求項１】
第一壁パネルと、この第一壁パネルに対し略直角に連結固定される第二壁パネルと、を備え、第一壁パネルは床から天井にまで至って両者間で突っ張り状に固定されるものであり、第二壁パネルは天井との間に間隔を開けて床上に設置され室内を仕切るものである間仕切装置。
【請求項２】
第一壁パネルを室内の一壁面に沿って立設したことを特徴とする請求項１記載の間仕切装置。
【請求項３】
第二壁パネルの第一壁パネル側とは反対側の先端部とこの先端部に対向する室内の他壁面との間に通路スペースを設けたことを特徴とする請求項２記載の間仕切装置。
【請求項４】
第一壁パネルと第二壁パネルとの間に架け渡されて両者を結合する連結補強材を設けたことを特徴とする請求項１〜３のいずれか一項記載の間仕切装置。
【発明の詳細な説明】
【技術分野】
【０００１】
本願発明は、室内に設置されて同室内を仕切る間仕切装置、所謂、パーティションに関するものである。
【背景技術】
【０００２】
従来から、図７に示すように、室内６に設置されて同室内６を仕切る間仕切装置は知られている（例えば、特開２０００−１２９８３５号公報参照）。この場合、室内６を仕切る壁パネルＰは室内壁面Ｗに連結固定されており、同壁パネルＰは天井との間に間隔５を開けて床３上に設置されている。この間仕切装置においては、天井との間に間隔５を開けた壁パネルＰによって、閉塞感を感じないように室内６を緩やかに仕切ることができる。また、壁パネルＰは室内壁面Ｗに連結固定されることで確実に支持されており、地震等によっても倒れることのないように耐震強度が確保される。
【特許文献１】特開２０００−１２９８３５号公報
【発明の開示】
【発明が解決しようとする課題】
【０００３】
しかしながら、上記従来例となる間仕切装置においては、壁パネルＰが室内壁面Ｗに連結固定されるものであり自立式でないため、室内壁面Ｗから離れて自由には設置することができないものであった。そこで、室内壁面Ｗから離れて設置した壁パネルＰを、別途にＬ型金具等で固定することも可能ではあるが、この場合、床３に対する固定のみとなって十分な耐震強度は確保されず、固定した壁パネルＰの位置変更が困難になって設置の自由度も制限されてしまうものであった。
【０００４】
本願発明は、上記背景技術に鑑みてなされたもので、その課題は、自立式で設置に自由度があり、耐震強度も確保され、閉塞感を感じないよう室内を緩やかに仕切ることができる間仕切装置を提供することである。
【課題を解決するための手段】
【０００５】
上記課題を解決するために、本願請求項１記載の間仕切装置は、第一壁パネルと、この第一壁パネルに対し略直角に連結固定される第二壁パネルと、を備え、第一壁パネルは床から天井にまで至って両者間で突っ張り状に固定されるものであり、第二壁パネルは天井との間に間隔を開けて床上に設置され室内を仕切るものである。
【０００６】
また、本願請求項２記載の間仕切装置は、上記請求項１記載の間仕切装置において、第一壁パネルを室内の一壁面に沿って立設したことを特徴とする。
【０００７】
また、本願請求項３記載の間仕切装置は、上記請求項２記載の間仕切装置において、第二壁パネルの第一壁パネル側とは反対側の先端部とこの先端部に対向する室内の他壁面との間に通路スペースを設けたことを特徴とする。
【０００８】
また、本願請求項４記載の間仕切装置は、上記請求項１〜３のいずれか一項記載の間仕切装置において、第一壁パネルと第二壁パネルとの間に架け渡されて両者を結合する連結補強材を設けたことを特徴とする。
【発明の効果】
【０００９】
本願請求項１記載の間仕切装置においては、第一壁パネルと第二壁パネルとが相互に略直角に連結固定された構造となるので、床のどの位置にでも自立させることができ、位置変更も容易で設置の自由度は高められる。そして、第二壁パネルは天井との間に間隔を開けて床上に設置されるので、この第二壁パネルによって閉塞感を感じないよう室内を緩やかに仕切ることができる。また、第一壁パネルが床から天井にまで至って両者間で突っ張り状に固定されるため、この第一壁パネル及びこれに連結固定される第二壁パネルは共に強固に支持され、十分な耐震強度が確保される。
【００１０】
本願請求項２記載の間仕切装置においては、特に、第一壁パネルが室内の一壁面に沿って立設されるので、この第一壁パネルは同一壁面に当止して倒れ難くなり、耐震強度がより高められる。
【００１１】
本願請求項３記載の間仕切装置においては、特に、第二壁パネルの先端部と室内の他壁面との間に通路スペースが設けられるため、この第二壁パネルによってより閉塞感を感じないよう緩やかに仕切られ、仕切られた両側間の行き来も容易となる。
【００１２】
本願請求項４記載の間仕切装置においては、特に、第一壁パネルと第二壁パネルとの間に架け渡される連結補強材によって両者が結合されるので、第二壁パネルの揺れ動きは確実に防止され、耐震強度がより高く確保される。
【発明を実施するための最良の形態】
【００１３】
図１、２は、本願請求項１〜３に対応した第一の実施形態となる間仕切装置を示している。この実施形態の間仕切装置は、図１に示すように、第一壁パネル１と、この第一壁パネル１に対し略直角に連結固定される第二壁パネル２と、を備えている。そして、第一壁パネル１は床３から天井４にまで至って両者間で突っ張り状に固定されるものであり、第二壁パネル２は天井４との間に間隔５を開けて床３上に設置され室内６を仕切るものである。
【００１４】
更に、この実施形態の間仕切装置では、第一壁パネル１を室内６の一壁面７に沿って立設している。また、この実施形態の間仕切装置では、第二壁パネル２の第一壁パネル１側とは反対側の先端部８とこの先端部８に対向する室内６の他壁面９との間に通路スペース１０を設けてもいる。
【００１５】
以下、この実施形態の間仕切装置を、より具体的詳細に説明する。この実施形態の間仕切装置では、図１に示すように、第一壁パネル１と第二壁パネル２とが横断面略Ｌ型となるように連結固定されている。このように、全体として横断面略Ｌ型になると、床３上に倒れないよう安定した状態で設置される。そして、第一壁パネル１が室内６の一壁面７に沿って立設され、床３と天井４との間で突っ張り状に固定されており、同第一壁パネル１は一壁面７に当接支持されてより倒れないよう確実に固定される。この場合、室内６の一壁面７に対して第一壁パネル１を結合具等で固定することもできる。
【００１６】
そして、室内６は第二壁パネル２によって仕切られており、仕切られる一方側はデスク１２が設置されてワークルームとして使用され、仕切られる他方側はベッド１３が設置されてベッドルームとして使用されている。第二壁パネル２の上方には天井４との間に３０〜８０ｃｍ程度の間隔５が設けられ、同第二壁パネル２の先端部８と室内６の他壁面９との間には通路スペース１０が設けられていて、仕切られる両側のスペースが完全に仕切られるのではなく閉塞感を感じないよう緩やかに仕切られる。
【００１７】
この場合、寝室である室内６を第二壁パネル２で仕切ることにより、同寝室内にワークスペースを形成したともいえる。なお、前記間隔５は、人が起立した状態で仕切られた反対側を見えない程度の範囲で設定されるものである。また、通路スペース１０を通じて仕切られた両側スペース間の行き来も容易となる。
【００１８】
第一壁パネル１及び第二壁パネル２には、上下所定間隔で複数の横桟材１４が配設されており、いずれか選択される横桟材１４に棚板材１５を着脱自在に取り付けることができる。これにより、棚板材１５を所望の高さで所望の位置にして設けることができ、その取替作業も容易に行なうことができる。この場合、横桟材１４をハンガーレールとして、このハンガーレールの適宜所望の位置にハンガーフックが着脱自在に係止されるようになすこともできる。また、前記デスク１２は第一壁パネル１及び第二壁パネル２で囲まれるスペースに略合致する大きさ形状であり、同デスク１２によっても第一壁パネル１及び第二壁パネル２の倒れが防止される。
【００１９】
図２に示すように、第一壁パネル１は一壁面７に沿って当接するように立設され、床３と天井４との間で突っ張り状に固定されている。この場合、第一壁パネル１の上端部分１ｂにアジャスタボルト１６の下端が螺合埋設されており、このアジャスタボルト１６を螺合回動操作することで同アジャスタボルト１６の上端が天井４に押圧当止され、第一壁パネル１の下端部分１ａも床３に押圧当止される。これにより、第一壁パネル１は床３と天井４との間で突っ張り状に固定され、また、アジャスタボルト１６を逆回りに螺合回動操作することにより天井４への押圧当止を解除して、容易に移動させ位置変更することもできる。
【００２０】
また、第一壁パネル１の上端と天井４との隙間にはカバー材１７が嵌着されており、このカバー材１７によって同隙間及びその内部のアジャスタボルト１６が体裁良く覆い隠される。なお、その際、第一壁パネル１の上端部分１ｂと天井４との隙間の寸法に対応するようカバー材１７の上縁部分を切断除去しているが、床３と天井４との間の寸法への対応は、第一壁パネル１の上端部分１ｂ或いは下端部分１ａを切断除去することによっても可能である。
【００２１】
したがって、この実施形態の間仕切装置においては、第一壁パネル１と第二壁パネル２とが相互に略直角に連結固定された構造となるので、室内６の床３上どの位置にでも自立させることができ、位置変更も容易で設置の自由度は高められる。そして、第二壁パネル２は天井４との間に間隔５を開けて床３上に設置されるので、この第二壁パネル２によって閉塞感を感じないよう室内６を緩やかに仕切ることができる。
【００２２】
また、第一壁パネル１が床３から天井４にまで至って両者間で突っ張り状に固定されるため、この第一壁パネル１及びこれに連結固定される第二壁パネル２は共に強固に支持され、十分な耐震強度が確保される。しかも、この場合、ネジ、釘やＬ型金具等を用いることなく設置固定することができるので、床３や天井４等を傷付けることがなく、位置変更しても支障のないものである。
【００２３】
更に、この実施形態の間仕切装置においては、第一壁パネル１が室内６の一壁面７に沿って立設されるので、この第一壁パネル１は同一壁面７に当止支持されて倒れ難く、耐震強度がより高められている。しかも、第二壁パネル２の先端部８と室内６の他壁面９との間に通路スペース１０が設けられるため、この第二壁パネル２によってより閉塞感を感じないよう緩やかに仕切られ、仕切られた両側間の行き来も容易となる。
【００２４】
図３は、本願請求項１〜３に対応した第二の実施形態となる間仕切装置を示している。この実施形態の間仕切装置では、キッチンルーム１８に隣接する室内６が第二壁パネル２によって仕切られており、仕切られる一方側は食卓１９が設置されてダイニングルームとして使用され、仕切られる他方側はテレビ２０、テーブル２１、チェアー２２等が設置されてリビングルームとして使用されている。
【００２５】
また、前記チェアー２２は第一壁パネル１及び第二壁パネル２で囲まれるスペースに略合致する大きさ形状であり、同チェアー２２によっても第一壁パネル１及び第二壁パネル２の倒れが防止される。そして、第二壁パネル２の上方の間隔５は、上記第一の実施形態における間隔５よりも上下に広い。なお、それ以外は、上記第一の実施形態と同様に構成されており、上記第一の実施形態におけると同様の作用効果が奏される。
【００２６】
図４、５は、本願請求項１〜３に対応した第三の実施形態となる間仕切装置を示している。この実施形態の間仕切装置では、図４に示すように、第一壁パネル１と第二壁パネル２とが横断面略Ｔ型となるように連結固定されている。このように、全体として横断面略Ｔ型になると、横断面略Ｌ型である上記第一、第二の実施形態より以上に床３上で倒れないよう安定した状態に設置される。この場合は、Ｔ字の上横辺となる第一壁パネル１が室内６の一壁面７に沿って立設されている。
【００２７】
そして、第二壁パネル２によって仕切られた両側スペースはいずれも、デスク１２、ベッド１３が設置されて子供部屋として使用されている。また、前記両デスク１２はＴ字の下縦辺となる第二壁パネル２の両側で第一壁パネル１及び第二壁パネル２で囲まれた各スペースに略合致する大きさ形状であり、同両デスク１２によっても第二壁パネル２が挟持されて第一壁パネル１及び第二壁パネル２の倒れが防止される。
【００２８】
また、この場合、子供が就学前で親と一緒に寝ている幼児である段階では、図５（ａ）に示すように、室内６を何も設置しないプレイスペースとして使用し、子供が小学校低学年となった段階では、図５（ｂ）に示すように、第二壁パネル２によって仕切られた一方側のスペースを二つのデスク１２が設置された勉強部屋とし、他方側のスペースを二つのベッド１３が設置された寝室とすることで、兄弟が一緒に勉強をして一緒に寝ることができるようになる。
【００２９】
そして、子供が小学校高学年〜中学生となった段階で、前記図４に示すように、第二壁パネル２によって仕切られた両側スペースを兄弟各自の子供部屋とすることができる。なお、それ以外は、上記第一の実施形態と同様に構成されており、上記第一の実施形態におけると同様の作用効果が奏される。
【００３０】
図６は、本願請求項１〜４全てに対応した第四の実施形態となる間仕切装置を示している。この実施形態の間仕切装置では、第一壁パネル１と第二壁パネル２との間に架け渡されて両者を結合する連結補強材１１を設けている。この場合、第一壁パネル１と第二壁パネル２との間に傾斜状に架け渡されるバー状の連結補強材１１ａであっても、或いは、略三角形板状の連結補強材１１ｂ（図６（ｂ）に想像二点鎖線で示す）であってもよいものである。
【００３１】
したがって、この実施形態の間仕切装置においては、第一壁パネル１と第二壁パネル２との間に架け渡される連結補強材１１によって両者が結合されるので、第二壁パネル２の揺れ動きは確実に防止され、耐震強度がより高く確保されている。また、この場合、第二壁パネル２が収納壁体として形成されており、この第二壁パネル２には複数の収納開口部２３が配設され、各収納開口部２３の表裏いずれか一方の開口が選択的に背板２４にて閉塞されることにより、ワークルーム、ベッドルームのいずれ側からでも収納可能とされている。
【００３２】
また、前記バー状の連結補強材１１ａはワークルーム側のスペースにおいて、第一壁パネル１と第二壁パネル２との間の上部位で架設されており、同連結補強材１１ａにはその下方のデスク１２上を照らす照明器具２５が設けられている。なお、それ以外は、上記第一の実施形態と同様に構成されており、上記第一の実施形態におけると同様の作用効果が奏される。
【００３３】
ところで、上記各実施形態はいずれも、第一壁パネル１を室内６の一壁面７に沿って立設したものであったが、本願発明にあっては、これに限られるものでなく、自立式に設置可能であるため、室内６壁面から離れた位置にでも設置することができ、その移動も簡単且つ安全に行なうことができるものである。
【図面の簡単な説明】
【００３４】
【図１】本願発明の第一の実施形態である間仕切装置の設置状態を示す（ａ）は斜視図、（ｂ）は横断面図。
【図２】同間仕切装置の設置状態の要部を示す縦断面図。
【図３】本願発明の第二の実施形態である間仕切装置の設置状態を示す（ａ）は斜視図、（ｂ）は横断面図。
【図４】本願発明の第三の実施形態である間仕切装置の設置状態を示す（ａ）は斜視図、（ｂ）は横断面図。
【図５】同間仕切装置の設置状態となるまでの（ａ）、（ｂ）各々変遷過程を示す横断面図。
【図６】本願発明の第四の実施形態である間仕切装置の設置状態を示す（ａ）は斜視図、（ｂ）は横断面図。
【図７】従来例である間仕切装置の設置状態の概略を示す斜視図。
【符号の説明】
【００３５】
１  第一壁パネル
２  第二壁パネル
３  床
４  天井
５  間隔
６  室内
７  一壁面
８  先端部
９  他壁面
１０  通路スペース
１１  連結補強材
【図１】
2007162420.tif 000003
【図２】
2007162420.tif 000004
【図３】
2007162420.tif 000005
【図４】
2007162420.tif 000006
【図５】
2007162420.tif 000007
【図６】
2007162420.tif 000008
【図７】
2007162420.tif 000009